(57)【要約】【課題】下地材を厚くしなくても耐火パネルから下地材に熱が伝導して内部が燃焼しない耐火パネルの耐熱構造を提供する。【解決手段】外壁の仕上材として耐火パネルを取り付けた建物の耐熱構造であって、柱材に構造用合板を打ち付けた下地材と、前記下地材と前記耐火パネルの間に複数間欠的に配置される通気胴縁と、を備え、前記通気胴縁は、前記耐火パネルに当接させ両端を後方に折曲させた金属板と、前記金属板が前記下地材に接触しないように前記金属板に内設される不燃材と、を有し、前記耐火パネルを前記金属板に留める外ビスと、前記金属板から前記不燃材を通して前記下地材の柱材に留める内ビスとを離間させる、ことを特徴とする。【選択図】図１
2020186599.tif 000002
【特許請求の範囲】
【請求項１】
外壁の仕上材として耐火パネルを取り付けた建物の耐熱構造であって、
柱材に構造用合板を打ち付けた下地材と、
前記下地材と前記耐火パネルの間に複数間欠的に配置される通気胴縁と、を備え、
前記通気胴縁は、前記耐火パネルに当接させ両端を後方に折曲させた金属板と、前記金属板が前記下地材に接触しないように前記金属板に内設される不燃材と、を有し、
前記耐火パネルを前記金属板に留める外ビスと、前記金属板から前記不燃材を通して前記下地材の柱材に留める内ビスとを離間させる、
ことを特徴とする耐火パネルの耐熱構造。
【請求項２】
前記金属板は、両端を折曲させた側板に側孔を空ける際に内側に形成された内バリで前記不燃材を支持する、
ことを特徴とする請求項１に記載の耐火パネルの耐熱構造。
【請求項３】
前記金属板は、両端を折曲させた側板を内側に向かって傾斜させることで前記不燃材を挟持する、
ことを特徴とする請求項１に記載の耐火パネルの耐熱構造。
【請求項４】
前記不燃材は、前記金属板の両端を折曲させた側板よりも後方に突出させる、
ことを特徴とする請求項１乃至３の何れか一に記載の耐火パネルの耐熱構造。
【発明の詳細な説明】
【技術分野】
【０００１】
本発明は、耐火パネルから下地材に熱が伝導して内部が燃焼するのを防止する耐火パネルの耐熱構造に関する。
【背景技術】
【０００２】
木造建築物を耐熱構造にする場合、下地材に通気胴縁を介した上で耐火パネルが張り付けられる。下地材としては柱材に断熱材や不燃材などを張り付けた構造用面材が使用され、通気胴縁としては木材や金属などが使用される。火災などが発生した際、耐火パネル自体は燃焼しないが、耐火パネルを通気胴縁に留めている金属ビスに熱が伝導して通気胴縁や下地材が燃焼するおそれがある。
【０００３】
そのため、不燃材を何層にも重ねてそれぞれ別の金属ビスで留めた構造用合板を下地材に使用し、耐火パネルの表面から下地材の内部まで熱橋が形成されるのを抑制している場合もある。特許文献１に記載されているように、屋外からの火災に対する耐火性能を付与した外壁の外張り断熱耐火構造に関する発明も開示されている。
【０００４】
また、通気胴縁が燃焼しないように金属製の通気胴縁を使用し、耐火パネルを通気胴縁に留める金属ビスと、通気胴縁を下地材に留める金属ビスとを別にしている場合もある。特許文献２に記載されているように、断熱性能の低下を招かない外壁仕上げ材用金属製下地材に用いる金属製スペーサと外壁仕上げ材の固定構造に関する発明も開示されている。
【先行技術文献】
【特許文献】
【０００５】
【特許文献１】特許第５８２３２６８号公報
【特許文献２】特許第３６２３９２９号公報
【発明の概要】
【発明が解決しようとする課題】
【０００６】
しかしながら、特許文献１に記載の発明では、不燃材の枚数が多くなれば内部に熱が到達するのを抑制することはできるが、下地材の厚みが増すので、建物が密集している場所では、隣接する建物との間隔が確保できない場合がある。また、特許文献２に記載の発明では、熱伝導率が高い金属を通気胴縁として使用すると、耐火パネルを留める金属ビスの熱が、下地材に留める金属ビスに伝導してしまう。
【０００７】
そこで、本発明は、下地材を厚くしなくても耐火パネルから下地材に熱が伝導して内部が燃焼しない耐火パネルの耐熱構造を提供することを目的とする。
【課題を解決するための手段】
【０００８】
上記の課題を解決するために、本発明は、外壁の仕上材として耐火パネルを取り付けた建物の耐熱構造であって、柱材に構造用合板を打ち付けた下地材と、前記下地材と前記耐火パネルの間に複数間欠的に配置される通気胴縁と、を備え、前記通気胴縁は、前記耐火パネルに当接させ両端を後方に折曲させた金属板と、前記金属板が前記下地材に接触しないように前記金属板に内設される不燃材と、を有し、前記耐火パネルを前記金属板に留める外ビスと、前記金属板から前記不燃材を通して前記下地材の柱材に留める内ビスとを離間させる、ことを特徴とする。
【０００９】
また、前記耐火パネルの耐熱構造において、前記金属板は、両端を折曲させた側板に側孔を空ける際に内側に形成された内バリで前記不燃材を支持する、ことを特徴とする。
【００１０】
また、前記耐火パネルの耐熱構造において、前記金属板は、両端を折曲させた側板を内側に向かって傾斜させることで前記不燃材を挟持する、ことを特徴とする。
【００１１】
また、前記耐火パネルの耐熱構造において、前記不燃材は、前記金属板の両端を折曲させた側板よりも後方に突出させる、ことを特徴とする。
【発明の効果】
【００１２】
本発明によれば、下地材を厚くしなくても耐火パネルから下地材に熱が伝導して内部が燃焼するのを防止することができる。すなわち、建物が密集している場所でも、隣接する建物との間隔を確保することができる。また、熱伝導率が高い金属を通気胴縁として使用しても、耐火パネルを留める金属ビスの熱が、下地材に留める金属ビスに伝導してしまうのを抑止することができる。
【図面の簡単な説明】
【００１３】
【図１】本発明である耐火パネルの耐熱構造を有する外壁を示す平面図、正面図及び側面図である。
【図２】本発明である耐火パネルの耐熱構造における通気胴縁を示す平面図、正面図及び側面図である。
【図３】本発明である耐火パネルの耐熱構造における通気胴縁を示す平面図、正面図及び側面図である。
【発明を実施するための形態】
【００１４】
以下に、本発明の実施形態について図面を参照して詳細に説明する。同一機能を有するものは同一符号を付け、その繰り返しの説明は省略する場合がある。
【実施例１】
【００１５】
本発明である耐火パネルの耐熱構造について説明する。図１は、耐火パネルの耐熱構造を有する外壁を示す（ａ）平面図、（ｂ）正面図（耐火パネル透過）及び（ｃ）側面図である。図２、３は、耐火パネルの耐熱構造における通気胴縁を示す（ａ）平面図、（ｂ）正面図及び（ｃ）側面図である。なお、建物の外側を向く方を表（前）、建物の内側を向く方を裏（後）とする。
【００１６】
図１に示すように、例えば、木造枠組壁構法で建てられた建物の外壁１００に耐火性を持たせる場合、耐力壁として耐火パネル２００が用いられる。外壁１００としては、下地材４００の前側に、複数の通気胴縁３００を間欠的に配置した上で、表面に仕上材として耐火パネル２００が取り付けられる。
【００１７】
耐火パネル２００は、不燃材、準不燃材又は難燃材などの防火材料を用いて耐火性を持たせたサイディング（仕上材）であり、例えば、主原料としてマグネシウムを使用し、ガラス繊維などで補強したマグネシウム板などがある。
【００１８】
下地材４００は、例えば、表側に構造用合板４１０、裏側に不燃ボード４４０を平行に配置して、その間に複数の柱材４２０を間欠的に並置し、柱材４２０同士の隙間に断熱材４３０を充填することで、耐震性、耐風性、耐火性、断熱性、気密性及び防音性を向上させた耐力壁の下地として使用する構造用面材である。
【００１９】
構造用合板４１０は、複数の単板を重ねて接着することにより、あらゆる方向からの力に対して抵抗力を持たせた板材であり、釘の保持力も高い。構造用合板４１０の裏面には柱材４２０が接着剤などにより固着され、表面には通気胴縁を配置するために内ビス２１０などが打ち付けられる。なお、接着剤は、例えば、フェノール系など水に強いものを使用すれば良い。
【００２０】
構造用合板４１０の表面には、透湿防水シート４５０を貼って防水処理を施しても良い。透湿防水シート４５０は、例えば、ポリエチレン製不織布など、水は通さないが、湿気は通すシートであり、下地材４００内の湿気を間隙４６０へ排出し、結露を防止する。
【００２１】
不燃ボード４４０は、不燃材、準不燃材又は難燃材などの防火材料を用いた板材であり、例えば、石膏ボードやケイ酸カルシウム板などを用いれば良い。なお、加熱を開始した後５分以上、好ましくは２０分以上燃焼しないことが望ましい。
【００２２】
柱材４２０としては、外壁１００において建物を支えている柱や、外壁１００を取り付けるために柱間に配置している間柱などがある。なお、柱材４２０の位置に合わせて釘などが打ち込まれる。
【００２３】
断熱材４３０は、熱移動及び熱伝達を減少させるもので、グラスウールやロックウール（繊維系）、ウレタンフォーム（発泡系）などがある。柱材４２０間を塞ぐように入れておくことで、建物内の冷暖房を効率化する。
【００２４】
通気胴縁３００は、下地材４００と耐火パネル２００の間に通気層として間隙４６０を確保するために複数本が間欠的に配置される。通気胴縁３００は、柱材４２０の位置に配置され、内ビス２１０で下地材４００に打ち付けられる。また、耐火パネル２００が外ビス２２０で通気胴縁３００に打ち付けられる。
【００２５】
なお、内ビス２１０としては、柱材４２０に深く打ち込めるように長い木造用ビスを用いれば良い。また、外ビス２２０としては、金属板３１０を打ち抜いて固定されるように短い鉄骨用ビスを用いれば良い。
【００２６】
図２に示すように、通気胴縁３００は、耐火パネル２００に当接させる側が金属板３１０であり、下地材４００に当接させる側が不燃材５００である。金属板３１０は、両端をそれぞれ後方に折曲させて側板３３０を設け、内側に充填させるようにモルタル等の不燃材５００を内設する。なお、金属板３１０が下地材４００と接触しないように、不燃材５００の後面５１０を側板３３０よりも後方に突出させる。
【００２７】
金属板３１０は、高耐食性の溶融亜鉛−アルミニウム−マグネシウム合金メッキ鋼板（例えば、亜鉛９１％、アルミニウム６％、マグネシウム３％）などを用いて、略矩形状に折曲げ加工した板材である。
【００２８】
金属板３１０の当接面３２０は、耐火パネル２００の裏面と接して、耐火パネル２００を貫通して外ビス２２０で留められる。金属板３１０の凹部３２０ａは、当接面３２０より後方に陥没させ、複数の留孔３４０が間欠的に空けられる。内ビス２１０を留孔３４０に通して、不燃材５００から下地材４００まで固定したときに、内ビス２１０の頭が凹部３２０ａに収まる。
【００２９】
外ビス２２０を打ち込む位置と、内ビス２１０を打ち込む位置とは、できるだけ離す。火災などで耐火パネル２００の表面が加熱されたとき、表出している外ビス２２０が高温となる可能性があるが、外ビス２２０から離間した位置に打ち込まれた内ビス２１０までは熱伝導が抑制されるので、下地材４００の柱材４２０の燃焼が防止される。
【００３０】
外ビス２２０は、短いため不燃材５００までしか達せず、下地材４００まで熱伝導しない。外ビス２２０から金属板３１０を介して内ビス２１０まで熱伝導しないように、留孔３４０の径を大きめにして、金属板３１０と接触しないように内ビス２１０を不燃材５００に打ち込んでも良い。
【００３１】
金属板３１０の側板３３０は、内設した不燃材５００を押さえ付ける。側板３３０には複数の側孔３５０が空けられ、熱や湿気を通すと共に、金属板３１０を軽量化する。側孔３５０を空ける際に、外側から内側に打ち抜くと内側に内バリ３６０が形成されるので、内バリ３６０による突起で不燃材５００を支持しても良い。
【００３２】
図３に示すように、通気胴縁３００ａにおいては、金属板３１０の側板３３０ａを両方とも内側に向かって傾斜させて、先端をテーパ状に狭くすることにより、内設された不燃材５００を挟持しても良い。
【００３３】
本発明によれば、下地材を厚くしなくても耐火パネルから下地材に熱が伝導して内部が燃焼するのを防止することができる。すなわち、建物が密集している場所でも、隣接する建物との間隔を確保することができる。また、熱伝導率が高い金属を通気胴縁として使用しても、耐火パネルを留める金属ビスの熱が、下地材に留める金属ビスに伝導してしまうのを抑止することができる。
【００３４】
以上、本発明の実施例を述べたが、これらに限定されるものではない。
【符号の説明】
【００３５】
１００：外壁
２００：耐火パネル
２１０：内ビス
２２０：外ビス
３００：通気胴縁
３００ａ：通気胴縁
３１０：金属板
３２０：当接面
３２０ａ：凹部
３３０：側板
３３０ａ：側板
３４０：留孔
３５０：側孔
３６０：内バリ
４００：下地材
４１０：構造用合板
４２０：柱材
４３０：断熱材
４４０：不燃ボード
４５０：透湿防水シート
４６０：間隙
５００：不燃材
５１０：後面
【図１】
2020186599.tif 000003
【図２】
2020186599.tif 000004
【図３】
2020186599.tif 000005
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
外壁の仕上材として耐火パネルを取り付けた建物における耐火パネルの耐熱構造であって、
柱材に構造用合板を打ち付けた下地材と、
前記下地材と前記耐火パネルの間に複数間欠的に配置される通気胴縁と、を備え、
前記通気胴縁は、前記耐火パネルに当接させ両端を後方に折曲させた金属板と、前記金属板が前記下地材に接触しないように前記金属板の内側に充填させた不燃材と、を有し、
前記耐火パネルを当接する前記金属板に留める外ビスと、前記金属板を後方に陥没させて前記不燃材を通して前記下地材の柱材まで留める内ビスとを、前記外ビスから前記金属板を介して前記内ビスに熱伝導しないように離間させる、
ことを特徴とする耐火パネルの耐熱構造。
【請求項２】
前記金属板は、両端を折曲させた側板に側孔を空ける際に内側に形成された内バリで前記不燃材を支持する、
ことを特徴とする請求項１に記載の耐火パネルの耐熱構造。
【請求項３】
前記金属板は、両端を折曲させた側板を内側に向かって傾斜させることで前記不燃材を挟持する、
ことを特徴とする請求項１に記載の耐火パネルの耐熱構造。
【請求項４】
前記不燃材は、前記金属板の両端を折曲させた側板よりも後方に突出させる、
ことを特徴とする請求項１乃至３の何れか一に記載の耐火パネルの耐熱構造。
【手続補正２】
【補正対象書類名】明細書
【補正対象項目名】０００８
【補正方法】変更
【補正の内容】
【０００８】
上記の課題を解決するために、本発明は、外壁の仕上材として耐火パネルを取り付けた建物における耐火パネルの耐熱構造であって、柱材に構造用合板を打ち付けた下地材と、前記下地材と前記耐火パネルの間に複数間欠的に配置される通気胴縁と、を備え、前記通気胴縁は、前記耐火パネルに当接させ両端を後方に折曲させた金属板と、前記金属板が前記下地材に接触しないように前記金属板の内側に充填させた不燃材と、を有し、前記耐火パネルを当接する前記金属板に留める外ビスと、前記金属板を後方に陥没させて前記不燃材を通して前記下地材の柱材まで留める内ビスとを、前記外ビスから前記金属板を介して前記内ビスに熱伝導しないように離間させる、ことを特徴とする。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
外壁の仕上材として耐火パネルを取り付けた建物における耐火パネルの耐熱構造であって、
柱材に構造用合板を打ち付けた下地材と、
前記下地材と前記耐火パネルの間に複数間欠的に配置される通気胴縁と、を備え、
前記通気胴縁は、前記耐火パネルに当接させ両端を後方に折曲させた金属板と、前記金属板が前記下地材に接触しないように前記金属板の内側に充填させた不燃材と、を有し、
前記不燃材は、モルタルであり、
前記耐火パネルを当接する前記金属板に留める外ビスと、
前記金属板を後方に陥没させて凹部を形成し、前記凹部に設けられた所定径の留孔を介して、前記金属板と接触しないように前記不燃材を通して前記下地材まで打ち込まれる内ビスとを、
前記外ビスから前記金属板を介して前記内ビスに熱伝導しないように離間させる、
ことを特徴とする耐火パネルの耐熱構造。
【請求項２】
前記金属板は、両端を折曲させた側板に側孔を空ける際に内側に形成された内バリで前記不燃材を支持する、
ことを特徴とする請求項１に記載の耐火パネルの耐熱構造。
【請求項３】
前記金属板は、両端を折曲させた側板を内側に向かって傾斜させることで前記不燃材を挟持する、
ことを特徴とする請求項１に記載の耐火パネルの耐熱構造。
【請求項４】
前記不燃材は、前記金属板の両端を折曲させた側板よりも後方に突出させる、
ことを特徴とする請求項１乃至３の何れか一に記載の耐火パネルの耐熱構造。
【手続補正２】
【補正対象書類名】明細書
【補正対象項目名】０００８
【補正方法】変更
【補正の内容】
【０００８】
上記の課題を解決するために、本発明は、外壁の仕上材として耐火パネルを取り付けた建物における耐火パネルの耐熱構造であって、柱材に構造用合板を打ち付けた下地材と、前記下地材と前記耐火パネルの間に複数間欠的に配置される通気胴縁と、を備え、前記通気胴縁は、前記耐火パネルに当接させ両端を後方に折曲させた金属板と、前記金属板が前記下地材に接触しないように前記金属板の内側に充填させた不燃材と、を有し、前記不燃材は、モルタルであり、前記耐火パネルを当接する前記金属板に留める外ビスと、前記金属板を後方に陥没させて凹部を形成し、前記凹部に設けられた所定径の留孔を介して、前記金属板と接触しないように前記不燃材を通して前記下地材まで打ち込まれる内ビスとを、前記外ビスから前記金属板を介して前記内ビスに熱伝導しないように離間させる、ことを特徴とする。